(57)【要約】【課題】光線を照射し、その反射光を検知する近接検知センサーを備えた電子ビューファインダーにおいて、電子ビューファインダーを使用者が覗かない非使用時に、前記電子ビューファインダーにファインダーキャップを装着すると、前記ファインダーキャップに前記光線があたってしまうことによる誤検知してしまう。【解決手段】近接検知センサーを有する電子ビューファインダーに装着可能なファインダーキャップにおいて、前記近接検知センサーは光照射部と光受光部を有し、前記近接検知センサーの使用者側には前記近接検知センサーを保護する近接検知センサー窓部材を有し、前記ファインダーキャップは、前記電子ビューファインダーへの装着時に前記近接検知センサー窓部材に接触して覆う当接部を有する。【選択図】図６
2017138433.tif 000002
【特許請求の範囲】
【請求項１】
近接検知センサーを有する電子ビューファインダーに装着可能なファインダーキャップにおいて、
前記近接検知センサーは光照射部と光受光部を有し、
前記近接検知センサーの使用者側には前記近接検知センサーを保護する近接検知センサー窓部材を有し、
前記ファインダーキャップは、前記電子ビューファインダーへの装着時に前記近接検知センサー窓部材に接触して覆う当接部を有することを特徴とするファインダーキャップ。
【請求項２】
近接検知センサーを有する電子ビューファインダーに装着可能なファインダーキャップにおいて、
前記近接検知センサーは光照射部と光受光部を有し、
前記ファインダーキャップは、前記電子ビューファインダーへの装着時に前記近接検知センサーの照射光を吸収する照射光吸収手段を有することを特徴とするファインダーキャップ。
【請求項３】
近接検知センサーを有する電子ビューファインダーに装着可能なファインダーキャップにおいて、
前記近接検知センサーは光照射部と光受光部を有し、
前記ファインダーキャップは前記電子ビューファインダーへの装着時に前記近接検知センサーの照射光を透過する照射光透過部材を有することを特徴とするファインダーキャップ。
【請求項４】
前記照射光透過部材は前記ファインダーキャップと共に二色成型により成型されていることを特徴とする請求項３に記載のファインダーキャップ。
【請求項５】
前記光照射部は赤外光であることを特徴とする請求項１乃至請求項４の何れか一項に記載のファイダーキャップ。
【請求項６】
前記ファインダーキャップが装着できることを特徴とする請求項１乃至請求項５の何れか一項に記載の電子ビューファインダー。
【請求項７】
前記ビューファインダーを備えることを特徴とする撮像装置。
【発明の詳細な説明】
【技術分野】
【０００１】
本発明は、ビデオカメラまたはデジタルカメラ等の撮像装置に設置される電子ビューファインダー及びファインダーキャップ、更にそれを備える撮像装置に関する。
【背景技術】
【０００２】
有機ＥＬパネル等の表示素子により表示を行う電子ビューファインダーを搭載した撮像装置においては、表示素子の高寿命化及び、省電力化の為に、使用者が電子ビューファインダーを覗く為に接眼した時だけ、表示素子を作動させ、それ以外は停止させる撮像装置がある。接眼を検知するための機構として、赤外光を照射し近接した物体から反射した赤外光を検知する近接検知センサーを使用した機構が知られている。
【０００３】
ところで、電子ビューファインダーの光学部品をキズや汚れから保護する為や、電子ビューファインダーの光学系に長時間太陽光が入射してしまうことによる表示素子の劣化防止の為に、非使用時には電子ビューファインダーにファインダーキャップを装着することが一般的に行われている。
【０００４】
しかし、赤外光が照射される範囲にファインダーキャップが存在してしまうと、電子ビューファインダーを覗くための接眼時以外にも、近接検知センサーがファインダーキャップを検知してしまい、表示素子が作動してしまうといった誤検知が起きる問題点があった。
【０００５】
同様の誤検知対策として、接眼を検知してビューファインダーと可動式モニタとを切り替えする撮像装置において、可動式モニタの姿勢を検出し、ファインダーキャップが可動式モニタを検知してしまう姿勢にあるときは、可動式モニタ表示を停止させない、または、接眼検知を無効化するといった制御が提案されている（特許文献１）。
【先行技術文献】
【特許文献】
【０００６】
【特許文献１】特開２０１０−２１６２１号公報
【発明の概要】
【発明が解決しようとする課題】
【０００７】
先行技術文献に記載のある可動式モニタの位置の検出に相当するような、ファインダーキャップの着脱位置の検出手段を別途設けてしまうと、電子ビューファインダーが大型化してしまい利便性を損ねてしまったり、コストの増加を招いてしまう。
【０００８】
そこで、近接検知センサーの赤外光が照射される範囲を切り欠いて誤検知を回避するファインダーキャップが知られている。
【０００９】
しかし、このようなファインダーキャップによれば、誤検知は防止できるが、近接検知センサーや近接検知センサーの窓部材をキズや汚れから保護することは不可能である。
【課題を解決するための手段】
【００１０】
上記課題を解決するために、本発明に係るファインダーキャップは、
近接検知センサーを有する電子ビューファインダーに装着可能なファインダーキャップにおいて、前記近接検知センサーは光照射部と光受光部を有し、前記近接検知センサーの使用者側には前記近接検知センサーを保護する近接検知センサー窓部材を有し、前記ファインダーキャップは、前記電子ビューファインダーへの装着時に前記近接検知センサー窓部材に接触して覆う当接部を有することを特徴とする。
【００１１】
または、近接検知センサーを有する電子ビューファインダーに装着可能なファインダーキャップにおいて、前記近接検知センサーは光照射部と光受光部を有し、前記ファインダーキャップは、前記電子ビューファインダーへの装着時に前記近接検知センサーの照射光を吸収する照射光吸収手段を有することを特徴とする。
【００１２】
または、近接検知センサーを有する電子ビューファインダーに装着可能なファインダーキャップにおいて、前記近接検知センサーは光照射部と光受光部を有し、前記ファインダーキャップは前記電子ビューファインダーへの装着時に前記近接検知センサーの照射光を透過する照射光透過部材を有することを特徴とする。
【発明の効果】
【００１３】
本発明に係るファインダーキャップによれば、電子ビューファインダーにファインダーキャップを装着したときに近接検知センサーの照射光がファインダーキャップに照射されても近接検知センサーの誤検知を防止するとともに、近接検知センサーや近接検知センサーの窓部材をキズや汚れから保護することができる。
【図面の簡単な説明】
【００１４】
【図１】撮像装置１の外観斜視図である。
【図２】電子ビューファインダー２００の外観斜視図である。
【図３】電子ビューファインダー２００の断面図である。
【図４】電子ビューファインダー２００の近接検知センサー２０１の配置を示した斜視図である。
【図５】電子ビューファインダー２００の近接検知センサー２０１の電気接続を示す断面図である。
【図６】電子ビューファインダー２００のファインダーキャップ１００を装着した状態の近接検知センサー２０１付近の詳細を示す断面図である。
【図７】電子ビューファインダー２００のファインダーキャップ４００を装着した状態の近接検知センサー２０１付近の詳細を示す断面図である。
【図８】電子ビューファインダー２００のファインダーキャップ５００を装着した状態の近接検知センサー２０１付近の詳細を示す断面図である。
【発明を実施するための形態】
【００１５】
以下に、本発明の実施形態を添付の図を基に詳細に説明する。
【００１６】
（第１の実施の形態）
図１は本発明の実施形態に係る撮像装置１を上面側から見た外観斜視図である。この撮像装置１は、レンズ交換式のデジタルビデオカメラとして構成されている。
【００１７】
図１に示すように、撮像装置１はカメラ本体部３００にレンズユニットを着脱できるレンズマウント部３０１を有する。カメラ本体部３００の上方には備え付けの電子ビューファインダー２００を有する。
【００１８】
図２は電子ビューファインダー２００の外観構成を示す斜視図である。図２（ａ）は電子ビューファインダー２００を図１同様に上面側から見た外観斜視図であり、図２（ｂ）は電子ビューファインダー２００を接眼側から見た外観斜視図である。図２（ｃ）はファインダーキャップ１００を装着した状態の電子ビューファインダー２００を接眼側から見た外観斜視図である。
【００１９】
電子ビューファインダー２００はカメラ本体部３００に接続する為のカメラ本体接続ヒンジ２０２、及びカメラ本体部３００から画像信号を受け取るためのビューファインダー接続ＦＰＣ２０３とを備える。また図２（ｃ）に示す通り、電子ビューファインダー２００を覗いていないときに、ファインダーキャップ１００を装着することができる。
【００２０】
図３はファインダーキャップ１００を装着したときの電子ビューファインダー２００の内部構成を示す断面図である。図３（ａ）は断面位置を示す図であり、その切り口から見た断面図が図３（ｂ）である。
【００２１】
電子ビューファインダー２００では光軸２５０の周りを一周囲うようにアイカップ２０５が形成されている。アイカップ２０５に顔を密着して使用すると、如何なる方向の外光をも遮蔽して、表示素子２０４の表示内容の視認性が良くなる。
【００２２】
電子ビューファインダー２００を使用者が覗いていない非使用時においては、アイカップ２０５と、ファインダーキャップ１００のファインダーキャップ勘合部１０１とを勘合させて、電子ビューファインダー２００にファインダーキャップ１００を装着することができる。ファインダーキャップ１００を装着させることによりレンズ保護板２０８等の光学部品をキズや汚れから保護することができる。また、ファインダーキャップ１００を装着させることにより非使用時に不用意に電子ビューファインダーの光学系に太陽光が長時間入射してしまうことによる表示素子２０４の劣化を防止することができる。
【００２３】
カメラ本体部３００からビューファインダー接続ＦＰＣ２０３を通り送られた画像信号は電子ビューファインダー基板２０６を経由して表示素子２０４に送られ光学画像として表示される。また、撮像装置１において表示素子２０４は有機ＥＬパネルである。表示素子２０４より表示された光線としての光学画像はレンズ部２０７によって集光される。集光された光線はレンズ保護板２０８を透過し、肉眼により光学画像を視認できる。また、レンズ保護板２０８は光線が通過する開口を有するレンズ保護板押さえ部材２０９により電子ビューファインダー２００に固定される。
【００２４】
図４は近接検知センサー２０１の配置がわかるように、近接検知センサー窓部材２１０を外した状態の電子ビューファインダー２００の外観斜視図である。
【００２５】
撮像装置１で使用している近接検知センサー２０１は、近接検知センサー光照射部２１１より物体を検出するための光線を常時照射し、近接した物体に反射した光線を近接検知センサー光受光部２１２により受光することにより、検知を行っている。すなわち、電子ビューファインダー２００を覗いた使用者の顔、または眼で反射した光線を受光することで電子ビューファインダー２００への接眼状態を判別することができる。
【００２６】
電子ビューファインダー２００の近接検知センサー光照射部２１１からはピーク波長が約９４０ｎｍの赤外光が照射され、その波長の光線を近接検知センサー光受光部２１２により受光する構成となっている。近接検知センサー光照射部２１１の赤外光の照射方向は、電子ビューファインダー２００の光軸２５０と平行方向に赤外光の強度が最大となるように設置している。また、電子ビューファインダー２００では、赤外光が最大方向の強度から半分の強度になる指向性の角度（半値角）は片側約３０度である。
【００２７】
図５は電子ビューファインダー２００の近接検知センサー２０１の電気接続を示す断面図であり、図５（ａ）は断面位置を示す図、その切り口から見た断面図が図５（ｂ）である。また、近接検知センサー光照射部２１１の光線照射範囲２１３を図示している。図示した光線照射範囲２１３の角度は前述した半値角の３０度の範囲である。
【００２８】
図５（ｂ）で示した通り、近接検知センサー２０１と電子ビューファインダー基板２０６とは近接検知センサー接続ＦＰＣ２１４により電気的に接続され、また前述した通り、電子ビューファインダー基板２０６は表示素子２０４と電気的に接続されている。そのため、撮像装置１では表示素子２０４の高寿命化及び、省電力化を目的として、接眼を検知しているときは表示素子２０４を作動させ、それ以外のときは表示素子２０４を停止させる制御を行っている。
【００２９】
また、近接検知センサー２０１の前面には、近接検知センサー２０１の保護を目的とした、近接検知センサー窓部材２１０が設置されている。近接検知センサー窓部材２１０そのもので近接検知センサー光照射部２１１より照射された光線を反射させて誤検知してしまうことを防ぐために、近接検知センサー窓部材２１０は光線を透過しやすい部材でなくてはならない。
【００３０】
電子ビューファインダー２００では、近接検知センサー２０１が外から透けて見えることを防止し品位を向上する目的で、約７５０ｎｍより長い波長の光は透過しやすく、それより短い波長の光は透過し難い材料で近接検知センサー窓部材２１０を成型している。これにより、近接検知センサー窓部材２１０は、近接検知センサー光照射部２１１より照射されたピーク波長約９４０ｎｍの赤外光は透過するものの可視光は透過しにくく、近接検知センサー２０１が外から透けて見え難い構成となっている。
【００３１】
さて、電子ビューファインダー２００に従来のファインダーキャップを取りつけた場合、近接検知センサー光照射部２１１から照射された照射光はファインダーキャップで反射されてしまい、近接検知センサー光受光部２１２よりその反射光を受光してしまう。すると、ファインダーキャップを装着し、電子ビューファインダー２００を覗かない非使用時においても、接眼したと誤検知を起こしてしまい表示素子２０４が点灯し続けてしまう。それを防止するために、ファインダーキャップの照射光が通る部分を切り欠く構成が採られているが、それでは近接検知センサー２０１や近接検知センサー窓部材２１０をキズや汚れから保護することはできない。
【００３２】
そこで本ファインダーキャップ１００においては、ファインダーキャップ１００の一部を近接検知センサー窓部材２１０に密着させることにより、近接検知センサー２０１や近接検知センサー窓部材２１０をキズや汚れから保護すると共に、近接検知センサー２０１の誤検知を防止するものである。以下に図６を用いて説明する。
【００３３】
図６はファインダーキャップ１００を装着した状態の電子ビューファインダー２００の近接検知センサー２０１付近の詳細を示す断面図である。図６（ａ）は断面位置を示す図であり、その切り口から見た断面図が図６（ｂ）である。また、図６（ｃ）は図６（ｂ）の断面図より、近接検知センサー２０１の周辺を拡大した断面図である。図６（ｃ）では、光線照射範囲２１３及び、その反射した光線である反射光２１５を例示している。
【００３４】
本ファインダーキャップ１００にはセンサー窓当接部１０２を取りつけている。このセンサー窓当接部１０２はクッション等の柔軟性のある素材でできている。電子ビューファインダー２００にファインダーキャップ１００を取りつけたとき、センサー窓当接部１０２が近接検知センサー窓部材２１０に密着して接触する。また、センサー窓当接部１０２は近接検知センサー窓部材２１０より十分に大きい面積を持ち、近接検知センサー窓部材２１０をに覆う。
【００３５】
図６（ｃ）で示す通り、近接検知センサー光照射部２１１より照射された照射光は、ファインダーキャップ１００のセンサー窓当接部１０２によって反射される。この反射面の位置は近接検知センサー窓部材２１０の外観面であり、近接検知センサー光照射部２１１との距離が極めて近いため、反射光２１５が近接検知センサー光受光部２１２まで届かないので、近接検知センサー２０１はファインダーキャップ１００を検知していない状態となる。
【００３６】
具体的には、近接検知センサー光照射部２１１と近接検知センサー光受光部２１２までの間隔を、約２．６ｍｍとする。また、近接検知センサー２０１と近接検知センサー窓部材２１０を接触させ、近接検知センサー窓部材２１０の厚みを約０．５ｍｍとしている。ファインダーキャップ１００のセンサー窓当接部１０２はクッション材等の付勢できる部材であるため、圧接することで近接検知センサー窓部材２１０とのすき間を無くすことができ、近接検知センサー２０１とセンサー窓当接部１０２の距離を近接検知センサー窓部材２１０の厚みの約０．５ｍｍに一定に保つことができる。
【００３７】
この構成により、ファインダーキャップ１００装着時において反射光２１５が近接検知センサー光受光部２１２まで届かないため、ファインダーキャップ１００を検知しない。すなわち、ファインダーキャップ１００を装着していても、非接眼時の制御により、表示素子２０４が消灯されることになる。
【００３８】
以上に説明したように、電子ビューファインダー２００にファインダーキャップ１００を装着したときにおいて、近接検知センサー２０１や近接検知センサー窓部材２１０をキズや汚れから保護するとともに、近接検知センサー２０１の誤検知を防止することができる。
【００３９】
（第２の実施の形態）
第２の実施の形態において、第１の実施の形態の撮像装置１と同様の部分については同じ符号を使用し、詳細な説明を省略する。
【００４０】
図７はファインダーキャップ４００を装着した状態の電子ビューファインダー２００の近接検知センサー２０１付近の詳細を示す断面図である。図７（ａ）は断面位置を示す図であり、その切り口から見た断面図が図７（ｂ）である。また、図７（ｃ）は図７（ｂ）の断面図より、近接検知センサー２０１の周辺を拡大した断面図である。図７（ｃ）では、光線照射範囲２１３を図示している。
【００４１】
図７（ｂ）で示す通り、電子ビューファインダー２００にファインダーキャップ４００を装着した状態において、近接検知センサー光照射部２１１より照射された光線が全て当たる範囲に、ファインダーキャップ４００にファインダーキャップ受光部材４０１を設置している。
【００４２】
ファインダーキャップ受光部材４０１は近接検知センサー光照射部２１１より照射された照射光を吸収しやすい材料により成型されている。前述した通り近接検知センサー２０１においては近接検知センサー光照射部２１１よりピーク波長が約９４０ｎｍの赤外光が照射されている。その光線を吸収するためにファインダーキャップ受光部材４０１はカーボンブラック及び、ＰＶＣを配合したＮＢＲを材料として成型されている。
【００４３】
この構成により、近接検知センサー光照射部２１１より照射された光線をファインダーキャップ受光部材４０１にて吸収し、光線照射範囲２１３の光線が近接検知センサー光受光部２１２に反射することは無くなる。すなわち、ファインダーキャップ４００を装着していても近接検知センサー２０１が検知するとこが無いため、非接眼時の制御により表示素子２０４が消灯される。
【００４４】
以上に説明したように、電子ビューファインダー２００にファインダーキャップ４００を装着したときにおいて、近接検知センサー２０１や近接検知センサー窓部材２１０をキズや汚れから保護するとともに、近接検知センサー２０１の誤検知を防止することができる。
【００４５】
（第３の実施の形態）
第３の実施の形態において、第１の実施の形態の撮像装置１と同様の部分については同じ符号を使用し、詳細な説明を省略する。
【００４６】
図８はファインダーキャップ５００を装着した状態の電子ビューファインダー２００の近接検知センサー２０１付近の詳細を示す断面図である。図８（ａ）は断面位置を示す図であり、その切り口から見た断面図が図８（ｂ）である。また、図８（ｂ）は、光線照射範囲２１３を図示している。
【００４７】
図８（ｂ）で示す通り、電子ビューファインダー２００にファインダーキャップ５００を装着した状態において、光線照射範囲２１３の光線があたる位置にあるファインダーキャップ光透過部材５０１は光線が透過する部材により成型されている。前述した通り近接検知センサー２０１において、近接検知センサー光照射部２１１からはピーク波長が約９４０ｎｍの赤外光が照射されている。外観品位向上を目的として、ファインダーキャップ５００装着時に近接検知センサー窓部材２１０が透けて見えることを防止するためにファインダーキャップ光透過部材５０１は約７５０ｎｍより長い波長の光は透過しやすく、それより短い波長の光は透過し難い材料で成型されている。
【００４８】
ファインダーキャップ５００ではファインダーキャップ光透過部材５０１とファインダーキャップ５００本体は二色成型により一体の部材となっているが、それぞれを別々に成型した後に貼り合わせ等で一体化を行っても同等の効果が得られる。この構成により、光線照射範囲２１３の光線はファインダーキャップ光透過部材５０１を透過してしまうため、近接検知センサー光受光部２１２に反射することは無くなる。すなわち、ファインダーキャップ５００を装着していても近接検知センサー２０１が検知することが無いため、非接眼時の制御により表示素子２０４が消灯される。
【００４９】
以上に説明したように、電子ビューファインダー２００にファインダーキャップ５００を装着したときにおいて、近接検知センサー２０１や近接検知センサー窓部材２１０をキズや汚れから保護するとともに、近接検知センサー２０１の誤検知を防止することができる。
【００５０】
以上、本発明の好ましい実施形態について説明したが、本発明はこれらの実施形態に限られず、その要旨の範囲内で種々の変形及び変更が可能である。
【符号の説明】
【００５１】
１０２  センサー窓当接部、２０１  近接検知センサー、
２１０  近接検知センサー窓部材、２１１  近接検知センサー光照射部、
２１２  近接検知センサー光受光部、４０１  ファインダーキャップ受光部材、
５０１  ファインダーキャップ光透過部材
【図１】
2017138433.tif 000003
【図２】
2017138433.tif 000004
【図３】
2017138433.tif 000005
【図４】
2017138433.tif 000006
【図５】
2017138433.tif 000007
【図６】
2017138433.tif 000008
【図７】
2017138433.tif 000009
【図８】
2017138433.tif 000010